(57)【特許請求の範囲】
【請求項１】
ドライヤーロールの表面に圧接されるドクターブレードと、このドクターブレードを保持しているブレード保持部と、このブレード保持部を支持している支持部とを備えたドライヤーロール用ドクター装置において、
空気吹きつけ手段を有し、
この空気吹きつけ手段は、前記ドクターブレードよりも前記ドライヤーロールの側に配置され、前記ドクターブレードの刃先よりも前記ドライヤーロールの回転方向の下流側から、当該ドクターブレードの刃先部分、および、当該刃先部分よりも前記ドライヤーロールの回転方向の下流側のロール表面部分に空気流を吹きつけるものであることを特徴とするドライヤーロール用ドクター装置。
【請求項２】
ドライヤーロールの表面に圧接されるドクターブレードと、このドクターブレードを保持しているブレード保持部と、このブレード保持部を支持している支持部とを備えたドライヤーロール用ドクター装置において、
前記ドクターブレードを両側から挟むように配置された第１および第２の空気吹きつけ手段を有し、
前記ドクターブレードに対して前記ドライヤーロールの側に配置された前記第１の空気吹きつけ手段は、前記ドクターブレードの刃先よりも前記ドライヤーロールの回転方向の下流側から、当該ドクターブレードの刃先部分、および、当該刃先部分よりも前記ドライヤーロールの回転方向の下流側に位置するロール表面部分に空気流を吹きつけるものであり、
前記ドクターブレードに対して前記ドライヤーロールとは反対側に配置された前記第２の空気吹きつけ手段は、前記ドクターブレードの刃先よりも前記ドライヤーロールの回転方向の下流側から、当該ドクターブレードの刃先部分、および、当該刃先部分よりもドライヤーロールの回転方向の上流側に位置するロール表面に空気流を吹きつけるものであることを特徴とするドライヤーロール用ドクター装置。
【請求項３】
請求項１または２に記載のドライヤーロール用ドクター装置における前記ドクターブレードの刃先とロール表面の間に食い込んだ紙を除去する方法であって、
ドクターリング中においては、前記空気吹きつけ手段から空気を吹き出して、前記ドクターブレードの刃先とロール表面の間からロール回転方向の下流側に紙が食い込んだ場合に、当該食い込んだ紙の部分に常に空気を吹きつけ、
食い込んだ紙を除去する作業時には、前記空気吹きつけ手段による空気の吹きつけを継続したまま、ドライヤーロールを止めてドクターブレードの刃先をロール表面から開放し、
前記刃先とロール表面の間から開放された前記食い込んだ紙の部分を、空気流によってロール回転方向の上流側に押し出して、当該紙の部分が前記支持部の側に垂れ下がることを防止すると共に、前記食い込んだ紙の部分によって紙粕が付着して清掃が必要となったロール表面の部分を、空気吹きつけ手段から吹きつけられる空気によって清掃することを特徴とするドライヤーロール用ドクター装置の紙除去方法。
【発明の詳細な説明】
【０００１】
【発明の属する技術分野】
本発明は、抄紙機におけるドライヤーロールの表面に付着した異物を掻き落とすために使用されるドクター装置に関し、特に、搬送される紙がドクターブレードの刃先とロール表面の間に食い込んだ場合の回復処理を簡単に行うことが可能となったドライヤーロール用ドクター装置に関するものである。
【０００２】
【従来の技術】
ドライヤーロールの表面に付着した異物を書き落とすためにドクター装置が利用されている。図３に示すように、このドクター装置１は、ドライヤーロール２の表面２ａに圧接されるドクターブレード３と、このドクターブレード３を保持しているブレードホルダ４と、このブレードホルダ４を支持しているドクターバック５とを備えた構成となっている。ドクターバック５は、その両側面に取り付けたジャーナル軸６が回転可能な状態で固定側に設置された軸受け（図示せず）によって支持されている。ドクターバック５は、ターンバックル等の旋回拘束部材（図示せず）によって適切な旋回位置に固定されている。
【０００３】
ブレードホルダ４は例えば一対のエアーチューブ４１、４２を備えたエアーチューブ式のものであり、前側のエアーチューブ４１が開放用エアーチューブであり、後側のものが圧接用エアーチューブである。これらのエアーチューブ４１、４２に対する供給あるいは排出空気量を調節することにより、ドクターブレード３を保持しているフィンガ部４３は旋回軸４４を中心にして、ロール表面２ａに接近する方向および離れる方向に旋回可能である。
【０００４】
【発明が解決しようとする課題】
このようなドクター装置１を用いてドライヤーロール２の表面２ａのドクターリングを行う場合には次のような解決すべき課題がある。
【０００５】
ドライヤーロール２の表面に沿って乾燥されながら搬送される紙が切れた場合等においては、紙がロール表面２ａに付着したまま、ドクターブレードの刃先３ａが圧接している位置まで至り、刃先３ａとロール表面２ａの間に食い込むことがある。
【０００６】
特に、幅広のドライヤーロール２の場合には、その中央部分においてこのような紙の食い込みが起こり易い。紙が食い込むと、図３に示すように、ロール２の回転に伴って、ロール回転方向の下流側に向けて紙Ｐが徐々に侵入していってしまう。
【０００７】
このような事態が発生した場合には、ドライヤーロール２の回転を止めると主に、ドクター装置１をロール表面２ａから開放して、食い込んだ紙Ｐを除去する必要がある。このドクター装置１を開放する際に、紙Ｐの先端Ｐ１がドクターブレードの刃先３ａから外れて、図４に示すように、ドクターバック５の側まで垂れ下がる場合がある。これでは、紙Ｐを簡単に除去できずに、回復処理に時間が掛かってしまう。
【０００８】
また、このような事態が発生すると、ドクターブレード３の裏面側の部分、ドクターブレード３よりもロール回転方向の下流側のロール表面の部分に紙粕などが多量に付着するので、このような紙粕等を除去する必要がある。
【０００９】
発明の課題は、これらの点に鑑みて、紙がドクターブレードの刃先に食い込んだ場合において、その回復処理を簡単に行うことのできるドライヤーロール用ドクター装置を提案することにある。
【００１０】
【課題を解決するための手段】
上記の課題を解決するために、本発明は、ドライヤーロールの表面に圧接されるドクターブレードと、このドクターブレードを保持しているブレード保持部と、このブレード保持部を支持している支持部とを備えたドライヤーロール用ドクター装置において、空気吹きつけ手段を有し、この空気吹きつけ手段は、前記ドクターブレードよりも前記ドライヤーロールの側に配置され、前記ドクターブレードの刃先よりも前記ドライヤーロールの回転方向の下流側から、当該ドクターブレードの刃先部分、および、当該刃先部分よりも前記ドライヤーロールの回転方向の下流側のロール表面部分に空気流を吹きつけるものであることを特徴としている。
【００１１】
次に、本発明は、ドライヤーロールの表面に圧接されるドクターブレードと、このドクターブレードを保持しているブレード保持部と、このブレード保持部を支持している支持部とを備えたドライヤーロール用ドクター装置において、前記ドクターブレードを両側から挟むように配置された第１および第２の空気吹きつけ手段を有し、前記ドクターブレードに対して前記ドライヤーロールの側に配置された前記第１の空気吹きつけ手段は、前記ドクターブレードの刃先よりも前記ドライヤーロールの回転方向の下流側から、当該ドクターブレードの刃先部分、および、当該刃先部分よりも前記ドライヤーロールの回転方向の下流側に位置するロール表面部分に空気流を吹きつけるものであり、前記ドクターブレードに対して前記ドライヤーロールとは反対側に配置された前記第２の空気吹きつけ手段は、前記ドクターブレードの刃先よりも前記ドライヤーロールの回転方向の下流側から、当該ドクターブレードの刃先部分、および、当該刃先部分よりもドライヤーロールの回転方向の上流側に位置するロール表面に空気流を吹きつけるものであることを特徴としている。
【００１２】
次に、本発明は、上記構成のドライヤーロール用ドクター装置における前記ドクターブレードの刃先とロール表面の間に食い込んだ紙を除去する方法であって、
ドクターリング中においては、前記空気吹きつけ手段から空気を吹き出して、前記ドクターフレードの刃先とロール表面の間からロール回転方向の下流側に紙が食い込んだ場合に、当該食い込んだ紙の部分に常に空気を吹きつけ、
食い込んだ紙を除去する作業時には、前記空気吹きつけ手段による空気の吹きつけを継続したまま、ドライヤーロールを止めてドクターブレードの刃先をロール表面から開放し、
前記刃先とロール表面の間から開放された前記食い込んだ紙の部分を、空気流によってロール回転方向の上流側に押し出して、当該紙の部分が前記支持部の側に垂れ下がることを防止すると共に、前記食い込んだ紙の部分によって紙粕が付着して清掃が必要となったロール表面の部分を、空気吹きつけ手段から吹きつけられる空気によって清掃することを特徴としている。
【００１３】
このように構成した本発明のドクター装置では、紙が、ドクターブレードの刃先とロール表面の間に食い込み、それらの下流側に侵入した場合に、常に、その部分に空気が吹きつけられている。従って、ドクター装置を開放してそのドクターブレードをロール表面から退避させた場合に、食い込んでいた紙は空気が吹きつけられているのでドクターバックの側に垂れ下がることがない。逆に、紙をドクターブレードとロール表面の間からロール回転方向の上流側に押し出す。この結果、食い込んだ紙の除去作業を簡単に行うことができる。
【００１４】
また、紙が食い込んだために紙粕が付着して清掃が必要となったロール表面の部分は、エアーノズルから吹きつけられる空気によって清掃される。よって、手作業による清掃が不要となる。このように、本発明のドクター装置においては、紙が食い込んだ場合の回復処理を簡単かつ効率良く行うことが可能になる。
【００１５】
【発明の実施の形態】
以下に、図１を参照して本発明を適用したドライヤーロール用ドクター装置を説明する。
【００１６】
図１には本例のドライヤーロール用ドクター装置の全体構成を示してある。ドクター装置１１の基本的な構造は一般的に使用されているものと同一であり、ドクターブレード１３と、これを保持しているエアーチューブ式のブレードホルダ１４と、これを支持しているドクターバック１５を備えている。ドクターバック１５の両端にはジャーナル軸１６が取り付けられており、このジャーナル軸１６は固定側の部材であるブラケット１７に取り付けたジャーナル軸受け１８によって回転自在に支持されている。このドクターバック１５の旋回は、ブラケット１７とドクターバック１５の間を連結するターンバックル１９によって拘束されている。
【００１７】
本例のドクター装置１１は、この構成に加えて、ドクターブレード１３を両側から挟むように配置された一対の空気吹きつけ装置２０、３０を備えている。一方の空気吹きつけ装置２０は、ドクターブレード１３に対してドライヤーロール２とは反対側に配置されたエアーパイプ２１と、このエアーパイプ２１に形成した多数のエアーノズル２２を備えている。各エアーノズル２２からの空気流は、ドクターブレード１３の刃先１３ａの表面側の部分と、刃先１３ａよりもロール回転方向の上流側のロール表面部分に吹きつけられるように、その吹き出し方向が設定されている。
【００１８】
他方の空気吹きつけ装置３０は、ドクターブレード１３におけるドライヤーロール２の側においてロール回転方向の下流側の位置に配置されたエアーパイプ３１と、このエアーパイプ３１に形成した多数のエアーノズル３２を備えている。各エアーノズル３２からの空気流は、ドクターブレード１３の刃先１３ａの裏面側の部分と、刃先１３ａよりもロール回転方向の下流側のロール表面部分に吹きつけられるように、その吹き出し方向が設定されている。
【００１９】
このように構成した本例のドクター装置１１において、その使用中に、図１（ａ）に示すように、紙Ｐがドクターブレードの刃先１３ａとロール表面２ａの間に食い込んだとする。
【００２０】
この場合に、ロール２の回転を止めて、ドクター装置１１をロール表面から開放すると、ドクターブレードの刃先１３ａとロール表面３ａの間から開放された紙Ｐの部分は、下流側の空気吹きつけ装置３０のエアーノズル３２から吹き出される空気によって、ロール回転方向の上流側に押し出される。
【００２１】
これと同時に、ドクターブレード１３よりもロール回転方向の下流側のロール表面は、吹きつけられる空気によって、紙粕等の付着物が除去される。
【００２２】
このために、ドクター装置１１を開放した状態においては、図２に示すように、紙Ｐがロール回転方向の上流側に押されるので、ドクターバック１５の側に垂れ下がることは無い。
【００２３】
このように、本例のドクター装置１１によれば、紙が食い込んだ場合の回復処理を簡単に行うことができる。また、本例では、ドクターブレード１３のロール回転方向の上流側にも空気吹きつけ装置２０が配置されているので、紙をロール回転方向の上流側に押し出す動作が効率良く行われる。また、ドクターリング中においては、ドクターブレード１３によって掻き落とされた紙粕等を効率良く、ドクターブレードの刃先１３ａの部分から排除できる。
【００２４】
なお、本例では、空気吹きつけ装置２０、３０のエアーパイプ２１、３１をドクターバック１５に取り付けてあるので、そのエアーノズル２２、３２の空気吹き出し方向は、ドクター装置１１の旋回と共に変わる。
【００２５】
この代わりに、空気吹きつけ装置２０における空気吹きつけ方向を、ドクター装置１１の旋回に関係無く、常に一定の方向とする構成としてもよい。
【００２６】
【発明の効果】
以上説明したように、本発明のドライヤーロール用ドクター装置は、ドクターブレードよりもロール回転方向の下流側の位置に空気を吹きつける空気吹きつけ手段を備えており、ドクターブレード刃先の裏面部分およびロール表面部分に向けて空気が吹きつけられる。
【００２７】
よって、本発明によれば、紙がドクターブレードとロール表面の間に食い込んだ場合に、紙をロール回転方向の上流側に押し出すように空気流が発生しているので、ドクターブレードをロール表面から開放した際に紙がドクターバックの側に侵入して垂れ下がることを防止できる。また、この空気流によってロール表面の清掃も行われる。よって、紙が食い込んだ場合の回復処理を効率良くしかも簡単に行うことが可能になる。
【図面の簡単な説明】
【図１】本発明を適用したドライヤーロール用ドクター装置の概略構成図である。
【図２】図１のドクター装置の作用効果を示す説明図である。
【図３】従来のドクター装置の概略構成図である。
【図４】図３のドクター装置の問題点を説明するための説明図である。
【符号の説明】
２  ドライヤーロール
２ａ  ロール表面
１１  ドクター装置
１３  ドクターブレード
１３ａ  刃先
１４  ブレードホルダ
１５  ドクターバック
１６  ジャーナル軸
１７  ブラケット
１８  ジャーナル軸受け
１９  ターンバックル
２０、３０  空気吹きつけ装置
２１、３１  エアーパイプ
２２、３２  エアーノズル
Ｐ    紙
Ｐ１  紙の先端
【図１】
0003905976.tif 000002
【図２】
0003905976.tif 000003
【図３】
0003905976.tif 000004
【図４】
0003905976.tif 000005